(57)【要約】      （修正有）【課題】だらしなさを感じさせないクールビズ対応のファスナ付ワイシャツを提供する。【解決手段】のど元から上腹部の位置までの長さのファスナを用いたファスナ付ワイシャツであって、ファスナを閉じたときに上前立て３ｕによりスライダ２ｓと務歯２ｍが外から見えないように上前立て３ｕ裏面と下前立て３ｄ裏面とにファスナテープ２ｔを縫着し、ボタン７を、ファスナのある位置では上前立て３ｕ部分に飾りの穴かがり６ｋと共に縫着し、ファスナのない位置では下前立て３ｄ部分に縫着し、これに対応する上前立て３ｕ部分には穴かがり６ｎを設け、ファスナを開いたときにスライダ２ｓの位置にかかわらず両方の前立てが垂れない補強がなされていることを特徴とするファスナ付ワイシャツ。【選択図】図２
2011026724.tif 000002
【特許請求の範囲】
【請求項１】
のど元から上腹部の位置までの長さのファスナを用いたファスナ付ワイシャツであって、
ファスナを閉じたときには上前立てによりスライダも務歯も覆われ共に外から見えないようにファスナを縫着し、
ボタンを、ファスナのある位置では上前立て部分に飾りの穴かがりと共に縫着し、ファスナのない位置では下前立て部分に縫着し、これに対応する上前立て部分には穴かがりを設け、
ファスナを開いたときにスライダの位置にかかわらず両方の前立てが垂れない補強がなされていることを特徴とするファスナ付ワイシャツ。
【請求項２】
補強は、ファスナテープに強度を持たせることにより、または、前立て自体に強度を持たせることにより、または、前立て補強芯をあてがうことにより、なされていることを特徴とする請求項１に記載のファスナ付ワイシャツ。
【請求項３】
のど元部位を含めてボタン箇所が７箇所である場合に、上から５つのボタン箇所までにファスナを設けたことを特徴とする請求項１または２に記載のファスナ付ワイシャツ。
【請求項４】
下前立てを正面から見た場合に、務歯が下前立ての縁で略隠れるよう下前立て裏面にファスナテープを縫着したことを特徴とする請求項１、２または３に記載のファスナ付ワイシャツ。
【発明の詳細な説明】
【技術分野】
【０００１】
本発明は、クールビズ対応のファスナ付ワイシャツに関し、特に、ネクタイを締めない場合であっても、着用姿の乱れのないファスナ付ワイシャツに関する。
【背景技術】
【０００２】
近年、クールビズとして夏期にはネクタイを締めず、のど元を開放するワイシャツの着用方法が推進されつつある。のど元のボタンを外してワイシャツを着用することにより、暑苦しさから解放され、作業効率の上昇が期待でき、また、クーラーの設定温度を下げすぎずに温暖化防止に役立つことも期待できる。
【０００３】
また、ワイシャツの一形態として、ファスナを用いて、簡便に着用できるようにし、例えば手の不自由な人にも利便性を図ったものが知られている。
【０００４】
【特許文献１】特開２００８−１９５４５号
【特許文献２】登録実用新案公報３０５６５８５号
【特許文献３】実用新案登録公報２５１８１３１号
【発明の開示】
【発明が解決しようとする課題】
【０００５】
しかしながら、クールビズは始まったばかりであるので、ワイシャツの作り込みが不十分であり、以下の問題点があった。
まず、ファスナを用いるワイシャツは、着用を容易にすることが主眼であり、ファスナを閉めきることが前提であって、のど元を空けるような着用方法を想定していない。従って、襟が垂れ下がって左右に開いたり（図４（ａ））、襟の重みでのど元の布地がＳ字によれたりして（図４（ｂ））、だらしない姿となり、必ずしもビジネスシーンにおける着用に適合するものではなかった。
【０００６】
また、ファスナを用いない一般的なクールビズ用のワイシャツについては、ネクタイをしない分、のど元にアクセントをつけるため、ボタンダウンシャツなどがもてはやされるが、これも、襟が垂れ下がって左右に開くことはないものの、襟の重みが集中するため、のど元の布地がより大きくだれてしまう（図４（ｂ））という問題点があった。
【０００７】
また、クールビズは本来体感温度を下げることを目的としているのに、のど元のボタン（第一ボタン）を外すだけで開放量が一定であり、自由に開放長さを調節できないという根本的な問題点があった。
【０００８】
また、ファスナのついたワイシャツはベルトになじまず、知らぬ間にずり上がったり、腹部に違和感が生じたりするという問題点があった。
【０００９】
本発明は上記に鑑みてなされたものであって、だらしなさを感じさせないクールビズ対応のファスナ付ワイシャツを提供することを目的とする。
【課題を解決するための手段】
【００１０】
上記の目的を達成するために、請求項１に記載のファスナ付ワイシャツは、のど元から上腹部の位置までの長さのファスナを用いたファスナ付ワイシャツであって、ファスナを閉じたときには上前立てによりスライダも務歯も覆われ共に外から見えないようにファスナを縫着し、ボタンを、ファスナのある位置では上前立て部分に飾りの穴かがりと共に縫着し、ファスナのない位置では下前立て部分に縫着し、これに対応する上前立て部分には穴かがりを設け、ファスナを開いたときにスライダの位置にかかわらず両方の前立てが垂れない補強がなされていることを特徴とする。
【００１１】
すなわち、請求項１に係る発明は、ファスナの存在を気づかれにくく従来のボタンシャツの外観を維持したまま、のど元の布地がだれることなく胸元の開放量を任意に選択でき、腹部も含めて着用姿の乱れのないファスナ付ワイシャツを提供することが可能となる。
【００１２】
なお、スライダも務歯も覆われ共に外から見えないようにするには、上前立ての裏面で縁からある程度奥まったところにファスナ（ファスナテープ）を縫着すればよい。ワイシャツの種類は特に限定されず、ボタンダウンシャツ等も含まれることは言うまでもない。また、上腹部とはへそより上でありみぞおちの下をいう。前立てが垂れないとは、直線または外側への緩やかなカーブまでをいうのであって、前立ての開放部分が図４（ｂ）に示したようにＳ字によれたりするようなことがないことを意味する。
【００１３】
また、請求項２に記載のファスナ付ワイシャツは、請求項１に記載のファスナ付ワイシャツにおいて、補強が、ファスナテープに強度を持たせることにより、または、前立て自体に強度を持たせることにより、または、前立て補強芯をあてがうことにより、なされていることを特徴とする。
【００１４】
すなわち、請求項２に係る発明は、製造工程の特段の増加を招来することなく、簡便に補強を実現することができる。なお、開放量は長くてもせいぜい第三ボタン位置程度と考えられるため、そこまでの長さでよれやだれが生じない強度であればよい。
【００１５】
また、請求項３に記載のファスナ付ワイシャツは、請求項１または２に記載のファスナ付ワイシャツにおいて、のど元部位を含めてボタン箇所が７箇所である場合に、上から５つのボタン箇所までにファスナを設けたことを特徴とする。
【００１６】
すなわち、請求項３に係る発明は、ワイシャツの大きさに関係なく定性的な縫製が可能となる。
【００１７】
なお、ボタン箇所とは、のど元のボタンが二つある場合もあり、近接して二つ（複数）のボタンがある場合にはこれをひとまとまりとして数えることを意味する。
【００１８】
また、請求項４に記載のファスナ付ワイシャツは、請求項１、２または３に記載のファスナ付ワイシャツにおいて、下前立てを正面から見た場合に、務歯が下前立ての縁で略隠れるよう下前立て裏面にファスナテープを縫着したことを特徴とする。
【００１９】
すなわち、請求項４に係る発明は、ファスナの開閉のし易さを確保しながら務歯を外部から見えにくくし、ビジネスシーンで着用しても違和感のないシャツを提供可能となる。
【発明の効果】
【００２０】
本発明によれば、だらしなさを感じさせず着用姿に乱れを生じさせないクールビズ対応のファスナ付ワイシャツを提供可能となる。
【発明を実施するための最良の形態】
【００２１】
以下、本発明の実施の形態を図面を参照しながら詳細に説明する。
図１は、本発明のファスナ付ワイシャツの一例を示した概観図であって、のど元を開放して着用した際の様子を示した図である。図２は、前立て部分の拡大図である。図３は、前立て部分を外側に開いた図である。
【００２２】
ワイシャツ１は、図示したように、スライド式のファスナ２が上前立て３ｕの裏面と下前立て３ｄの裏面に縫着してあるファスナ付ワイシャツである。詳しくは、ファスナ２は、カラーバンド４の下から上腹部の位置までの長さであって、ファスナ２を閉じたときに上前立て３ｕが被さることによりスライダ２ｓと務歯２ｍが外から見えないように上前立て３ｕ裏面と下前立て３ｄ裏面とにファスナテープ２ｔを縫着している。
【００２３】
ファスナ２の種類は、務歯２ｍの素材に基づき、金属ファスナ、コイルファスナ（樹脂ファスナ）、プラスチックファスナがある。ここで、コイルファスナは、ポリアミド系合成繊維製もしくはポリエステル製の務歯であって、務歯２ｍ自体が他と比較して小さいため、例え角度によって務歯２ｍが見える位置であっても、務歯２ｍが目立たずファスナ２の存在を気づかれにくくするのに好適である。一方、プラスチックファスナは、ファスナテープ２ｔ状にポリアセタールを射出成形して製造できコストが安いので務歯２ｍはやや大きくなるものの安価なワイシャツ１を提供するのに好適である。本実施の形態ではコイルファスナを採用している。
【００２４】
ここで、ファスナテープ２ｔにある程度の強度を持たせ、スライダ２ｓの位置すなわちのど元の開放量にかかわらず、前立て３がその自重または襟５の重みにより、よれたり襟が垂れ下がったりしてしまうことがないようにしている。これは、市販のファスナ２を用いてファスナテープ２ｔに短冊状の補強材をあてがうようにしてもよいし、同様に前立て３に補強材をあてがってもよい。場合によっては、前立て３自体に強度を持たせてもよい。
【００２５】
また、スライダ２ｓをある程度下げても美しい着用姿となるように、ファスナテープ２ｔまたは補強材に緩やかなカーブを持たせてもよい。これにより、襟５は立ちつつ上に行くほど二次関数的開放量を大きくすることができる。
【００２６】
下前立て３ｄの裏面に当てるファスナ２は、その務歯２ｍの頭が下前立て３ｄの縁と略同じになるように縫着する。これにより、のど元が開いていても下前立て３ｄ側のファスナ２が外部から見えにくくなり、従来のワイシャツと同様の外観を確保できる。
【００２７】
なお、ワイシャツは、一般的には７つボタンであるので、ファスナ２は、第５ボタンと第６ボタンの間で途切れる長さとすることが好ましい。これにより、上腹部までの長さとなると共に、ベルトをしてもファスナ２が邪魔になることがないので、通常の着用心地を得ることができる。また、これにより、従来のファスナ付ワイシャツでは、ベルトとすれたり、着用者が気づかぬうちに腹部分の布がせり出したりするという問題点があったが、これが生じなくなる。
【００２８】
ワイシャツ１は、ファスナ２のある位置では上前立て部分に飾りの穴かがり６ｋと共にボタン７を縫着し、ファスナ２のない位置では通常のワイシャツと同様に下前立て３ｄ部分にボタン７を縫着し、これに対応する上前立て３ｕ部分には穴かがり６ｎを設けている。第1ボタンについては、本実施の形態では、通常のワイシャツと同様としているが、使用の態様によっては、飾りの穴かがり６ｋと共に上前立て３ｕ側のネックバンド８に縫着してもよい。なお、穴かがり６ｎはボタン７の着脱により、痛みやすい部分であるが、本願では、飾りの穴かがり６ｋを設けているのでその分、耐久性が向上することも期待できる。
【００２９】
以上説明したように、本発明のワイシャツ１によれば、任意の長さでのど元ないし胸元を開放して作業効率を向上させ（図１参照）、ビジネスシーンにおいても着用姿の乱れがなく、実質的にオールシーズンの着用を実現可能となる。
【産業上の利用可能性】
【００３０】
本発明は種々の態様にて実施可能である。例えば、補強の芯材は直径２ｍｍのプラスチック製の線材とすることもできるし、例えば務歯を赤色や青色のような目立つ配色として見えないおしゃれを演出する被服デザインとしてもよい。また、袖にファスナを適用し、袖口の開放量を調整するようにしてもよい。また、もともと着慣れない子供用に仕立てて着用し易くしてもよいし、七五三などの祝い服に用いることもできる。
【図面の簡単な説明】
【００３１】
【図１】本発明のファスナ付ワイシャツの一例を示した概観図であって、のど元を開放して着用した際の様子を示した図である。
【図２】前立て部分を中心とした正面拡大図である。
【図３】前立て部分を外側に開いた図である。
【図４】単にボタンを外しただけの、のど元がだらしなくなった着用姿の例を示した図である。
【符号の説明】
【００３２】
１        ワイシャツ
２        ファスナ
２ｍ     務歯
２ｓ     スライダ
２ｔ     ファスナテープ
３        前立て
３ｕ     上前立て
３ｄ     下前立て
４        カラーバンド
５        襟
７        ボタン
８        ネックバンド
【図１】
2011026724.tif 000003
【図２】
2011026724.tif 000004
【図３】
2011026724.tif 000005
【図４】
2011026724.tif 000006